(57)【特許請求の範囲】
【請求項１】
水を噴出する洗浄ノズルと、水道本管から分岐して前記洗浄ノズルに洗浄水を供給する水閉止弁と、洗浄水を加熱する洗浄水加熱手段とを本体ケーシング内に収容してなる人体局部洗浄装置において、前記洗浄水加熱手段は、直管状のパイプ状ケースと、前記パイプ状ケースに挿入される直管状のシーズヒータとより構成され、前記シーズヒータは、一端を前記パイプ状ケースに固定され、他端をシーズヒータ中心軸方向に摺動自在にパイプ状ケース内に保持され、前記シーズヒータとパイプ状ケースはその長手方向の両端部分にパッキンを装填してなる人体局部洗浄装置。
【請求項２】
前記洗浄水加熱手段の直管状のパイプ状ケースは、一端を本体ケーシングに固定され、他端をパイプ状ケース中心軸方向に摺動自在に保持されていることを特徴とする請求項１記載の人体局部洗浄装置。
【請求項３】
前記洗浄水加熱手段の直管状のパイプ状ケースは、一端を本体ケーシングに固定され、他端を鉛直方向に摺動自在に保持されていることを特徴とする請求項１記載の人体局部洗浄装置。
【発明の詳細な説明】
【０００１】
【発明の属する技術分野】
本発明は、人体局部を洗浄する際に使用する洗浄装置に関する。
【０００２】
【従来の技術】
人体の洗浄装置は、用便後に人体局部を温水により洗浄するものである。従来の人体局部洗浄装置の作動原理を図９，１０を参照して説明する。
水道本管から分岐された水道水（冷水）を本体ケーシング５内に配設される水閉止弁２を開閉することにより人体局部洗浄装置１内に引込み、温水タンク（洗浄水加熱手段）３で加熱し、洗浄ノズル４より人体局部に向けて噴出させて、人体局部を洗浄する。
ここで、洗浄水加熱手段としては、温水タンク３のケーシング内にシーズヒータ６を設置し、冷水を加熱、保温する貯湯式と、流入する冷水を瞬間的に加熱する保温機能を待たない瞬間式がある。
貯湯式は洗浄水を貯湯しその水の温度を維持するため、保温に必要な大きな電力量が必要である、という問題があった。
【０００３】
【発明が解決しようとする課題】
また、洗浄水の加熱を洗浄時のみに行うことにより、保温による電力の消費を回避した瞬間式の洗浄装置は、ヒータと洗浄水の接触（熱伝達）時間の確保のため、流路を長くする必要があった。ここで、自由に形状を変更できるセラミックスヒータを用いることにより長い流路の形成ができるが、安価なシーズヒータを用いた場合は、曲げ曲率（Ｒ）の制限があり、自由な形状をとることができなかった。
【０００４】
また、経済的な洗浄装置を提供するため、シーズヒータを用いた場合、曲げることなく流路長さを確保しようと、シーズヒータおよび温水タンクケーシングの長さを本体ケーシング全幅と同程度（３００〜５００ｍｍ）とすると、加熱時、シーズヒータの熱膨張と温水タンクケーシングの熱膨張の差から、ケーシングとシーズヒータとの固定部に応力が加わってしまった。
また、本体ケーシングは、便器に２本のとりつけボルトで固定されるが、便器の本体ケーシング取付面のうねりによりケーシングが変形し、内蔵部品の内、取付ボルトの両側に跨り固定される部品、例えば、直管状のシーズヒータとヒータを収容するケースに影響を与える不都合が発生した。
【０００５】
そこで、本発明において、解決すべき課題は、加熱時の直管状のシーズヒータと直管状のパイプ状ケースとの熱膨張の差による固定部分に加わる応力と、本体ケーシングの変形により直管状のシーズヒータとパイプ状ケースが変形することを防止することにある。
【０００６】
【課題を解決するための手段】
本発明の人体局部洗浄装置は、水を噴出する洗浄ノズルと、水道本管から分岐して前記洗浄ノズルに洗浄水を供給する水閉止弁と、直管状のパイプ状ケースとパイプ状ケースに挿入される直管状のシーズヒータとより構成され、洗浄水を加熱する洗浄水加熱手段とを本体ケーシング内に収容してなる。
前記洗浄水加熱手段におけるシーズヒータは、一端をパイプ状ケースに固定され、他端をシーズヒータ中心軸方向に摺動自在にパイプ状ケース内に保持され、シーズヒータとパイプ状ケースはその長手方向の両端部分にパッキンを装填してなる構成を具備する。
また、前記洗浄水加熱手段の直管状のパイプ状ケースは、一端を本体ケーシングに固定され、他端をパイプ状ケース中心軸方向に摺動自在に保持されている構成を有する。
さらに、前記洗浄水加熱手段の直管状のパイプ状ケースは、一端を本体ケーシングに固定され、他端を鉛直方向に摺動自在に保持されている構成を有する。
【０００７】
【発明の実施の形態】
本発明の実施の形態を図面を参照して説明する。
図１は人体局部洗浄装置付きの便器の斜視図、図２は人体局部洗浄装置の構成概略説明図である。
人体局部洗浄装置付きの便器１０は便座１１の横に装置の操作部１２を配置すると共に、操作部１２の操作ボタンにより指示されて水道本管１５から導水された水を図示しない加熱部で加熱し、洗浄ノズル２１から噴出させる構成となっている。
【０００８】
人体局部洗浄装置２０は水閉止弁２３、洗浄水加熱装置２５、洗浄ノズル２１が配管２２ａ，２２ｂ接続されて、本体ケーシング２９内に配設されている。
水閉止弁２３は水道本管１５から洗浄ノズル２１に至る水経路にあって、電磁弁などにより選択的に適宜水の経路を開閉可能な構成となっている。
洗浄ノズル２１は、操作ボタンにより洗浄が指示されたとき、噴出口２１０が待機位置から洗浄位置に移動し水を噴出し、操作ボタンにより停止が指示されたとき、水の噴出を止め洗浄位置から待機位置に収納されるように構成されている。この噴出口２１０の移動は洗浄水の圧力により移動する水圧伸縮式ノズル、または電気的駆動手段（モータ）により移動するモータ伸縮ノズルが用いられる。
【０００９】
次に図３により洗浄水加熱装置の構成を説明する。
洗浄水加熱装置２５は直管状シーズヒータ２５０と、ヒータ２５０を収容するパイプ状ケース２６０よりなる。
パイプ状ケース２６０は一端に水閉止弁２３に連通する水流入口２６１を形成し、他の一端には洗浄ノズル２１に連通する水流出口２６３が形成されている。そして、収容する直管状シーズヒータ２５０との間に水の流路３０を形成している。
【００１０】
シーズヒータ２５０とパイプ状ケース２６０はその長手方向の両端部分にパッキン４０を装填することにより水蜜が保持されている。そして、シーズヒータ２５０とパイプ状ケース２６０は水流入口２６１側で固定されている。この固定は、シーズヒータ２５０は端縁がフランジ２５１となっており、パイプ状ケース２６０のフランジ部２６５とを合致させ止具５０により固着されている。そして、シーズヒータ２５０のフランジ２５１にパッキン４０を装着し、パイプ状ケース２６０との間をシールしている。
【００１１】
パイプ状ケース２６０の水流出口２６３側の端縁は、シーズヒータ２５０の端縁に配設するブッシュ２５３とブッシュ２５３に装着されているパッキン４０でシールされている。
パイプ状ケース２６０は水流入口２６１に近接した位置に固定用フランジ２６７を突設している。そして、固定用フランジ２６７は本体ケーシング２９に凸設するボス２９１にネジ５０により固着されている（図４参照）。また、パイプ状ケース２６０の他端は、図５に示すように、本体ケーシング２９に凸設する保持リブ２９３に挟持されて保持されている。
【００１２】
このように構成される洗浄水加熱装置２５は、洗浄が選択されると、通電によりシーズヒータ２５０が加熱し、流入口２６１から流入している流路３０中の水を加熱する。このとき、シーズヒータ２５０は熱膨張により長手方向（シーズヒータ２５０の中心軸方向）に伸長する。シーズヒータ２５０は水流入口２６１側はパイプ状ケース２６０に固着されているが、水流出口２６３側はパッキン４０を装着するブッシュ２５３がパイプ状ケース２６０に嵌合して自由端となっているので、シーズヒータ２５０端に取り付けられているブッシュ２５３がケース２６０内を摺動して熱膨張による膨張分に対応する。
このように、シーズヒータ２５０の熱膨張による応力がパイプ状ケース２６０との固定部に加わることが無い。
【００１３】
また、パイプ状ケース２６０は水の昇温により膨張する。しかし、パイプ状ケース２６０の一端は本体ケーシング２９のボス２９１に固着されているが、他端部は本体ケーシング２９の保持リブ２９３に挟持されているのみで、自由端となっているので、移動可能であって、加熱時の熱膨張の差により固着部に応力が加わることが無い。
また、人体局部洗浄装置２０は便器１０に搭載されるが、搭載面にうねり等がある場合、本体ケーシング２９が変形してしまう。しかし、パイプ状ケース２６０は、一端が本体ケーシング２９に対して保持リブ２９３に案内されて鉛直方向（ケースの中心軸に対して垂直方向）に移動可能に保持されているので、パイプ状ケース２６０が移動してひずみを吸収し、管つ装置が変形することが無い。
【００１４】
なお、図６には、本体ケーシング２９の保持リブの他の例を示している。
この保持リブ２９３は先端に内側に突出する爪部２９５を設けている。
このように構成することにより、保持リブ２９３に保持されているパイプ状ケース２６０は鉛直方向に移動したとしても、爪部２９５で規制されて保持リブから脱落することがない。
【００１５】
また、図７はパイプ状ケース２６０とシーズヒータ２５０との固着部の他の構成を示している。
この固着部はシーズヒータ２５０のフランジ２５１とパイプ状ケース２６０のフランジ部２６５を、本体ケーシング２９に突設する固定用リブ２９７で挟持し、かつ上部を爪部２９５で係止する構成となっている。
この構成はねじなどの止具を必要とせず、組立工数を削減することができる。
【００１６】
【発明の効果】
本発明は、以上説明したように、安価なシーズヒータを用いて瞬間式の人体局部洗浄装置を簡単な構成で提供できる。さらに、長尺のシーズヒータを用いて熱伝導面積を高くすることができると共に、加熱時の熱膨張による応力がパイプ状ケース、およびシーズヒータに加わることが無く、安全で信頼性の高い人体局部洗浄装置を提供できる。
また、便器の人体局部洗浄装置の搭載面のうねり等による本体ケーシングの変形による応力がパイプ状ケースに加わること無く、信頼性の高い人体局部洗浄装置となる。
【図面の簡単な説明】
【図１】人体局部洗浄装置を搭載する便器の斜視図。
【図２】人体局部洗浄装置の構成説明図。
【図３】洗浄水加熱装置の構成説明図。
【図４】図３線Ａ−Ａ断面図。
【図５】図３線Ｂ−Ｂ断面図。
【図６】洗浄水加熱装置の本体ケーシング保持部の他の例を示す断面図。
【図７】洗浄水加熱装置のパイプ状ケースの保持部の他の例を示す平面図。
【図８】図７線Ｃ−Ｃ断面図。
【図９】従来の洗浄水加熱装置の構成説明図。
【図１０】従来の洗浄水加熱装置の構成説明図。
【符号の説明】
１０  便器
１１  便座
１２操作部
１５  水道本管
２０  人体局部洗浄装置
２１  洗浄ノズル
２３  水閉止弁
２５  洗浄水加熱装置
２５０  シーズヒータ
２５１  フランジ
２５３  ブッシュ
２６０  パイプ状ケース
２６１  水流入口
２６３  水流出口
２６５  フランジ
２６７  固定用フランジ
２９  本体ケーシング
２９１  ボス
２９３  保持リブ
２９５  爪部
２９７  固定用リブ
３０  水流路
４０  パッキン
５０  止め具
【図１】
0003611102.tif 000002
【図２】
0003611102.tif 000003
【図３】
0003611102.tif 000004
【図４】
0003611102.tif 000005
【図５】
0003611102.tif 000006
【図６】
0003611102.tif 000007
【図７】
0003611102.tif 000008
【図８】
0003611102.tif 000009
【図９】
0003611102.tif 000010
【図１０】
0003611102.tif 000011